(57)【要約】      （修正有）【課題】間仕切りパネルや壁紙自体でなく、任意の場所に、任意の範囲で磁石等を用いて吊り下げ鍵や掲示物を当着できる壁面を形成するための構造を提供する。【解決手段】壁面１の一部面に、着磁性を有する下地シート３を、下地面２に貼着し、さらにその上に化粧シート４を壁面１の全面に貼着してなるものであり、壁面１の表面には下地シート３が突出して看取でき、輪郭線を認識できる。下地面２は、石膏ボード、合板或いはフレキシブルボード等一般的な材料を適宜選択でき、面に不陸、目違い、凹凸等がある場合は平滑な面とすべく調整するものとする。下地シート３は着磁性を有するものであり、例えば極めて薄い鋼製板（１ｍｍ以下）が挙げられる。化粧シート４は、好みの壁紙を市販のものから選択して貼着すればよく、糊付け機械や刷毛等により壁紙裏面に均一に接着剤を塗布し、エア抜きを丁寧に行なって仕上げるものである。【選択図】図２
0003175339.tif 000002
【実用新案登録請求の範囲】
【請求項１】
壁面の全面又は一部面に、着磁性を有する下地シートを、下地面に貼着し、さらにその上に化粧シートを壁面全面に貼着してなることを特徴とする磁着可能な壁面の構造。
【請求項２】
壁面の一部面に貼着した下地シートの周囲にパテ処理層を形成し、下地面との段差をなくしたことを特徴とする請求項１記載の磁着可能な壁面の構造。
【請求項３】
壁面の一部面に貼着した下地シートの周囲にアタッチメントを突合して装着すると共に、アタッチメントの外周にパテ処理層を形成して下地面との段差をなくし、このアタッチメントに嵌合するジョイナーを化粧シート上に突設したことを特徴とする請求項１記載の磁着可能な壁面の構造。
【請求項４】
下地シートがマグネットシートであることを特徴とする請求項１乃至３のいずれかに記載の磁着可能な壁面の構造。
【考案の詳細な説明】
【技術分野】
【０００１】
本考案は、吊り下げ用装飾物、ハンガー、各種案内用紙、メモ用紙等を壁面に装着することが出来る磁着可能な壁面の構造に関するものである。
【背景技術】
【０００２】
従来、建物の壁面に関する室内側の構造は、心材や下地材に表面となる化粧材を貼り付けて施工されるのが一般的である。
化粧材として用いられる汎用的な壁紙は、シート状の無地の表面材や装飾模様や着色などが施された表面材と裏打ち材とを接合した可撓性を有する積層体であり、この壁紙を施工するときには、裏打ち材の裏面に接着糊を塗布してから下地面に貼付けられる。
【０００３】
ところで、吊り下げ用装飾物、ハンガー、各種案内用紙、メモ用紙等を壁面に装着したい場合があり、従来はピンを刺して支持するものや、又はマグネットを利用して磁着したものがある。
しかし、上記の場合に、金属製の表面材を貼着したものにはピンを使用して装着することは出来ず、又合板に化粧シートを貼り合わせたパネルや無機質板から成る表面材にはマグネットの磁気力が作用しない為に、該マグネットを用いて貼り付けことは出来ない。
【０００４】
そこで、特開平１０−２３８０１４号公報では、パネル芯材の両面、又は裏打ち材の片面には箔のような薄いスチール板２を貼着し、該スチール板面にはクロス又は不織布等を貼り合わせ、マグネットがパネル面に止着すると共に、ピンはスチール板を貫通して刺さるようにしたパネルが提案されている。
【０００５】
また、実用新案登録第３１７０９６４号公報では、シート状の表面材及び裏打ち材と、それらの相互間に介在された着磁性を有する中間シート材とが、互いに接合された可撓性を有する３層積層体でなり、その３層積層体が切断可能で、かつ、裏打ち材が、壁面やボードなどでなる下地面に接着糊で接合される磁着型壁紙が開示されている。
【先行技術文献】
【特許文献】
【０００６】
【特許文献１】特開平１０−２３８０１４号公報
【特許文献２】実用新案登録第３１７０９６４号公報
【考案の概要】
【考案が解決しようとする課題】
【０００７】
上記に鑑み本考案は、間仕切りパネルや壁紙自体でなく、任意の場所に、任意の範囲で磁石等を用いて吊り下げ鍵や掲示物を当着できる壁面を形成するための構造を提供せんとするものである。
【課題を解決するための手段】
【０００８】
本発明の請求項１に係る磁着可能な壁面の構造は、壁面の全面又は一部面に、着磁性を有する下地シートを、下地面に貼着し、さらにその上に化粧シートを壁面全面に貼着してなることを特徴とするものである。
【０００９】
請求項２に係る磁着可能な壁面の構造は、請求項1において、壁面の一部面に貼着した下地シートの周囲にパテ処理層を形成し、下地面との段差をなくしたことを特徴とするものである。
【００１０】
請求項３に係る磁着可能な壁面の構造は、請求項１において、壁面の一部面に貼着した下地シートの周囲にアタッチメントを突合して装着すると共に、アタッチメントの外周にパテ処理層を形成して下地面との段差をなくし、このアタッチメントに嵌合するジョイナーを化粧シート上に突設したことを特徴とするものである。
【００１１】
請求項４に係る磁着可能な壁面の構造は、請求項１乃至３のいずれかにおいて、下地シートがマグネットシートであることを特徴とするものである。
【考案の効果】
【００１２】
請求項１の考案の効果は、壁面の全面又は一部面に、着磁性を有する下地シートを、下地面に貼着し、さらにその上に化粧シートを壁面全面に貼着してなるものであるから、前面の化粧シートのみが看取され通常の壁面と変わりが無いけれど、着磁性を有する下地シートの部分は磁石が磁着可能であるから、磁石等を用いて吊り下げ鍵や掲示物を当着できる壁面となる効果を発揮する。
【００１３】
請求項２の考案は、請求項１の効果に加えて、下地シートの周囲にパテ処理層を形成し、下地面との段差をなくしたため、視覚上は勿論、触れても下地シートの場所が確認しにくく、通常の壁面の体裁をより呈することができる効果を有する。
【００１４】
請求項３の考案は、請求項１の効果に加えて、下地シートの周囲にアタッチメントを突合して装着すると共に、アタッチメントの外周にパテ処理層を形成して下地面との段差をなくし、このアタッチメントに嵌合するジョイナーを化粧シート上に突設したため、磁石等を用いて吊り下げ鍵や掲示物を当着できる壁面部分に、額縁状のジョイナーの枠体が形成されて判別が容易になると共に、外観上のアクセントとなって見栄えも良くなる効果を発揮する。
【００１５】
請求項４の考案は、請求項１乃至３の効果に加えて、下地シートがマグネットシートであるため、当着する磁石との磁着力が強固となる効果を有する。
【図面の簡単な説明】
【００１６】
【図１】本考案の一実施の形態を示す壁面の正面図である。
【図２】図１の要部断面図である。
【図３】本考案の他の実施の形態を示す壁面の正面図である。
【図４】図３の要部断面図である。
【図５】本考案の他の実施の形態を示す壁面の正面図である。
【図６】図５の要部断面図である。
【図７】本考案の一実施の形態を示す部屋の斜視図である。
【考案を実施するための形態】
【００１７】
本考案の実施の形態を図面に基づいて説明する。
図１は一実施の形態を示す壁面１の正面図、図２はその要部の横断平面図である。
壁面１の一部面に、着磁性を有する下地シート３を、下地面２に貼着し、さらにその上に化粧シート４を壁面１の全面に貼着してなるものであり、壁面１の表面には下地シート３が突出して看取でき、輪郭線５を認識できる。
【００１８】
下地面２は、石膏ボード、合板或いはフレキシブルボード等一般的な材料を適宜選択でき、面に不陸、目違い、凹凸等がある場合は平滑な面とすべく調整するものとする。
【００１９】
下地シート３は着磁性を有するものであり、例えば極めて薄い鋼製板（１ｍｍ以下）が挙げられる。
また、シート層中に着磁性を有する金属粉を含有させたシートであっても良く、鉄粉、ケイ素鋼やフェライト粉末等の金属粉を樹脂シート又はゴムシートに含ませることで得られる。
【００２０】
さらに、下地シート３自体をマグネットシートとすることで、ハサミやカッター等で切断できて加工が容易となり、自在な形状の磁着面を形成できる。
マグネットシートは、公知のゴムにフェライト粉末を混ぜて成型したもので、吸着力は弱くなってしまうが、吸着具も磁石とすれば保持力は向上する。
【００２１】
化粧シート４は、好みの壁紙を市販のものから選択して貼着すればよく、糊付け機械や刷毛等により壁紙裏面に均一に接着剤を塗布し、エア抜きを丁寧に行なって仕上げるものである。
【００２２】
図３は、本考案の他の実施の形態を示す壁面の正面図であり、図４は、その要部断面図であり、壁面１の一部面に貼着した下地シート３の周囲にパテ処理層６を形成し、下地面２との段差をなくしたものである。
即ち、パテ処理層６は下地シート３の周囲端面上部から緩やかな傾斜面を形成して下地面２に到るもので、段差が解消すると共に傾斜面も視認できない状態としてある。
【００２３】
したがって、化粧シート４が貼着された状態では、視覚上は勿論、触れても下地シート３の場所が確認しにくく、通常の壁面の体裁を呈することができるものであり、前面の化粧シート４のみが看取され通常の壁面と変わりが無いけれど、着磁性を有する下地シート３の部分は磁石等が磁着可能であるから、磁石等を用いて吊り下げ鍵や掲示物を当着できる壁面となる。
【００２４】
図５は、本考案の他の実施の形態を示す壁面の正面図であり、図６は、その要部断面図であり、壁面１の一部面に貼着した下地シート３の周囲にアタッチメント７を突合して装着すると共に、アタッチメント７の外周にパテ処理層６を形成して下地面２との段差をなくし、このアタッチメント７に嵌合するジョイナー８を化粧シート４上に突設したものである。
【００２５】
即ち、下地シート３の周囲にアタッチメント７を突合して装着し、アタッチメント７の外周に上記と同様のパテ処理層６を形成し、更に、アタッチメント７の雌突条７Ａを避けて化粧シート４が貼着し、ジョイナー８の雄突条８Ａを嵌合したものである。
下地シート３の角部はジョイナー８を４５度にカットして接合する。
【００２６】
したがって、額縁状のジョイナー８の枠体が化粧シート４上に形成されて、磁石等を用いて吊り下げ鍵や掲示物を当着できる壁面部分の判別が容易になると共に、外観上のアクセントとなって見栄えも良くなるものである。
【００２７】
図７は、本考案の一実施の形態を示す部屋の斜視図であり、図面上の薄く塗りつぶした部分に下地シートが隠れて、磁石等を用いて吊り下げ鍵や掲示物を当着できる壁面部分となっており、任意の場所に、任意の範囲で磁石等を用いて吊り下げ鍵や掲示物を当着できる壁面を形成することができるものである。
【００２８】
以上、本考案を実施の形態を図面に基づき具体的に説明したが、本考案は上記の実施形態に限定されるものではなく、考案の思想を逸脱することない範囲の他の実施の形態にも適用可能である。
【符号の説明】
【００２９】
１    壁面
２    下地面
３    下地シート
４    化粧シート
５    輪郭
６    パテ処理層
７    アタッチメント
７Ａ  雌突条
８    ジョイナー
８Ａ  雄突条
【図１】
0003175339.tif 000003
【図２】
0003175339.tif 000004
【図３】
0003175339.tif 000005
【図４】
0003175339.tif 000006
【図５】
0003175339.tif 000007
【図６】
0003175339.tif 000008
【図７】
0003175339.tif 000009